【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
撮像光学系を通過した光学像を受光する撮像素子を有する撮像装置であって、
前記撮像装置の振れを検出する角速度検出手段と、
前記角速度検出手段の出力に基づいて振れ補正量を算出する演算手段と、
前記振れ補正量に応じて像振れを光学的に補正する光学的像振れ補正手段と、を備え、
前記撮像素子の撮像画面の画面周辺部が画面中央部に対して縮小する歪曲収差が発生している場合及び前記撮像素子の撮像画面の画面中央部が画面周辺部に対して縮小する歪曲収差が発生している場合、前記画面中央部の前記光学的像振れ補正手段による像振れ補正効果が前記画面周辺部の前記光学的像振れ補正手段による像振れ補正効果よりも高くなるように制御する制御手段と、を有することを特徴とする撮像装置。
【請求項２】
撮像光学系を通過した光学像を受光する撮像素子を有する撮像装置であって、
前記撮像装置の振れを検出する角速度検出手段と、
前記角速度検出手段の出力に基づいて振れ補正量を算出する演算手段と、
前記振れ補正量に応じて像振れを光学的に補正する光学的像振れ補正手段と、を備え、
前記撮像素子の撮像画面の画面周辺部が画面中央部に対して縮小する歪曲収差が発生している場合の振れ補正量のゲインを前記撮像素子の撮像画面の画面中央部が画面周辺部に対して縮小する歪曲収差が発生している場合の振れ補正量のゲインよりも大きくなるように制御する制御手段と、を有することを特徴とする撮像装置。
【請求項３】
前記ゲインは、前記撮像光学系を構成するズームレンズの横倍率である請求項２に記載の撮像装置。
【請求項４】
前記横倍率は、前記撮像画面の中心位置での横倍率である請求項３に記載の撮像装置。
【請求項５】
撮像光学系を通過した光学像を受光する撮像素子を有する撮像装置であって、
前記撮像装置の振れを検出する角速度検出手段と、
前記角速度検出手段の出力に基づいて振れ補正量を算出する演算手段と、
前記振れ補正量に応じて光学的に補正する光学的像振れ補正手段と、
前記撮像素子から出力される出力信号に基いて前記撮像画面内の主被写体の位置を検出する位置検出手段と、を備え、
前記撮像素子の撮像画面の画面周辺部が画面中央部に対して縮小する歪曲収差が発生している場合及び前記撮像素子の撮像画面の画面中央部が画面周辺部に対して縮小する歪曲収差が発生している場合、前記撮像画面内の主被写体の位置の前記光学的像振れ補正手段による像振れ補正効果が前記撮像画面内の主被写体の位置以外の位置の前記光学的像振れ補正手段による像振れ補正効果よりも高くなるように制御する制御手段と、を有することを特徴とする撮像装置。
【請求項６】
撮像光学系を通過した光学像を受光する撮像素子を有する撮像装置であって、
前記撮像装置の振れを検出する角速度検出手段と、
前記角速度検出手段の出力に基づいて振れ補正量を算出する演算手段と、
前記振れ補正量に応じて光学的に補正する光学的像振れ補正手段と、
前記撮像素子から出力される出力信号に基いて前記撮像画面内の主被写体の位置を検出する位置検出手段と、を備え、
前記撮像画面内の主被写体の位置における横倍率が所定値よりも大きい場合の振れ補正量のゲインを前記撮像画面内の主被写体の位置における横倍率が所定値よりも小さい場合の振れ補正量のゲインよりも大きくなるように制御する制御手段と、を有することを特徴とする撮像装置。
【請求項７】
前記ゲインは、前記撮像光学系を構成するズームレンズの横倍率である請求項６に記載の撮像装置。
【請求項８】
前記撮像画面内の主被写体の大きさが所定値よりも大きい場合、前記撮像画面内の主被写体の画像領域の横倍率の平均値に基いて前記像振れ補正効果を算出し、前記撮像画面内の主被写体の大きさが所定値よりも小さい場合、前記撮像画面内の主被写体の画像領域の画像中心の横倍率に基いて前記像振れ補正効果を算出する請求項６に記載の撮像装置。
【請求項９】
撮像光学系を通過した光学像を受光する撮像素子を有する撮像方法であって、
振れを検出する角速度検出工程と、
前記角速度検出工程の出力に基づいて振れ補正量を算出する演算工程と、
前記振れ補正量に応じて光学的に補正する光学的像振れ補正工程と、を備え、
前記撮像素子の撮像画面の画面周辺部が画面中央部に対して縮小する歪曲収差が発生している場合及び前記撮像素子の撮像画面の画面中央部が画面周辺部に対して縮小する歪曲収差が発生している場合、前記画面中央部の光学的な像振れ補正効果が前記画面周辺部の光学的な像振れ補正効果よりも高いことを特徴とする撮像方法。
【請求項１０】
撮像光学系を通過した光学像を受光する撮像素子を有する撮像方法であって、
振れを検出する角速度検出工程と、
前記角速度検出工程の出力に基づいて振れ補正量を算出する演算工程と、
前記振れ補正量に応じて光学的に補正する光学的像振れ補正工程と、を備え、
前記撮像素子の撮像画面の画面周辺部が画面中央部に対して縮小する歪曲収差が発生している場合の振れ補正量のゲインを前記撮像素子の撮像画面の画面中央部が画面周辺部に対して縮小する歪曲収差が発生している場合の振れ補正量のゲインよりも大きくすることを特徴とする撮像方法。
【請求項１１】
撮像光学系を通過した光学像を受光する撮像素子を有する撮像方法であって、
振れを検出する角速度検出工程と、
前記角速度検出工程の出力に基づいて振れ補正量を算出する演算工程と、
前記振れ補正量に応じて光学的に補正する光学的像振れ補正工程と、
前記撮像素子から出力される出力信号に基いて前記撮像画面内の主被写体の位置を検出する位置検出工程と、を備え、
前記撮像素子の撮像画面の画面周辺部が画面中央部に対して縮小する歪曲収差が発生している場合及び前記撮像素子の撮像画面の画面中央部が画面周辺部に対して縮小する歪曲収差が発生している場合、前記撮像画面内の主被写体の位置の光学的な像振れ補正効果が前記撮像画面内の主被写体の位置以外の位置の光学的な像振れ補正効果よりも高いことを特徴とする撮像方法。
【請求項１２】
撮像光学系を通過した光学像を受光する撮像素子を有する撮像方法であって、
振れを検出する角速度検出工程と、
前記角速度検出工程の出力に基づいて振れ補正量を算出する演算工程と、
前記振れ補正量に応じて光学的に補正する光学的像振れ補正工程と、
前記撮像素子から出力される出力信号に基いて前記撮像画面内の主被写体の位置を検出する位置検出工程と、を備え、
前記撮像画面内の主被写体の位置における横倍率が所定値よりも大きい場合の振れ補正量のゲインを前記撮像画面内の主被写体の位置における横倍率が所定値よりも小さい場合の振れ補正量のゲインよりも大きくすることを特徴とする撮像方法。
【手続補正２】
【補正対象書類名】明細書
【補正対象項目名】００２４
【補正方法】変更
【補正の内容】
【００２４】
このような課題を解決するために、本願における請求項１に記載の発明によれば、撮像光学系を通過した光学像を受光する撮像素子を有する撮像装置であって、
前記撮像装置の振れを検出する角速度検出手段と、
前記角速度検出手段の出力に基づいて振れ補正量を算出する演算手段と、
前記振れ補正量に応じて像振れを光学的に補正する光学的像振れ補正手段と、を備え、
前記撮像素子の撮像画面の画面周辺部が画面中央部に対して縮小する歪曲収差が発生している場合及び前記撮像素子の撮像画面の画面中央部が画面周辺部に対して縮小する歪曲収差が発生している場合、前記画面中央部の前記光学的像振れ補正手段による像振れ補正効果が前記画面周辺部の前記光学的像振れ補正手段による像振れ補正効果よりも高くなるように制御する制御手段と、を有することを特徴とするものである。